【手続補正書】
【提出日】平成17年3月2日(2005.3.2)
【手続補正１】
【補正対象書類名】明細書
【補正対象項目名】特許請求の範囲
【補正方法】変更
【補正の内容】
【特許請求の範囲】
【請求項１】
光源手段から出射した光束を偏向する偏向手段と、該偏向手段により偏向された光束を被走査面上に導光する走査光学手段と、を有する光走査装置において、
該光源手段から発せられた光束の主走査方向の光束径の一端を決定する第１の遮光部材と、該光源手段から発せられた光束の主走査方向の光束径の他端を決定する第２の遮光部材とを、該光束の進行方向に離間して配置していることを特徴とする光走査装置。
【請求項２】
前記第１の遮光部材と前記第２の遮光部材は副走査断面内の光束径を制限していることを特徴とする請求項１記載の光走査装置。
【請求項３】
請求項１又は２記載の光走査装置と、前記被走査面に配置された感光体と、前記光走査装置で走査された光束によって前記感光体上に形成された静電潜像をトナー像として現像する現像器と、現像されたトナー像を被転写材に転写する転写器と、転写されたトナー像を被転写材に定着させる定着器とを有することを特徴とする画像形成装置。
【請求項４】
請求項１又は２記載の光走査装置と、外部機器から入力したコードデータを画像信号に変換して前記光走査装置に入力せしめるプリンタコントローラとを有していることを特徴とする画像形成装置。
【請求項５】
少なくとも２本の光束を発する少なくとも２つの発光部を有する光源手段と、該少なくとも２つの発光部から発せられた少なくとも２本の光束を偏向する偏向手段と、該偏向手段により偏向された少なくとも２本の光束を被走査面上に導光する走査光学手段と、を有するマルチビーム走査装置において、
該少なくとも２つの発光部は主走査方向及び副走査方向に離間して配置されており、
該少なくとも２本の光束のうち少なくとも１つの光束の主走査方向の光束径の一端を決定する第１の遮光部材と該少なくとも２本の光束のうち少なくとも１つの光束の主走査方向の光束径の他端を決定する第２の遮光部材とを該光源手段と該偏向手段との間に該光束の進行方向に離間して配置していることを特徴とするマルチビーム走査装置。
【請求項６】
前記第１の遮光部材と前記第２の遮光部材は副走査方向の光束径を制限していることを特徴とする請求項５記載のマルチビーム走査装置。
【請求項７】
前記第１の遮光部材は光束径のうち被走査面側を決定し、前記第２の遮光部材は主走査方向の光束径のうち被走査面側の反対側を決定しており、該第２の遮光部材は該第１の遮光部材よりも前記偏向手段側に配置されていることを特徴とする請求項５記載のマルチビーム走査装置。
【請求項８】
前記光源手段と前記偏向手段との間に、副走査方向のみに屈折力を有するシリンドリカルレンズが設けられており、前記第１の遮光部材と前記第２の遮光部材は、該シリンドリカルレンズと該偏向手段との間に配置されていることを特徴とする請求項５記載のマルチビーム走査装置。
【請求項９】
前記２つの遮光部材のうち、前記光源手段側に位置した遮光部材は該少なくとも２本の光束の副走査方向の光束径を決定していることを特徴とする請求項５記載のマルチビーム走査装置。
【請求項１０】
前記第１の遮光部材、前記第２の遮光部材は前記光源手段側から第１の遮光部材、第２の遮光部材の順で配置されており、
前記偏向手段の偏向面の基準位置から該第１の遮光部材までの距離をＬ１（ｍｍ）、該偏向手段の偏向面の基準位置から該第２の遮光部材までの距離をＬ２（ｍｍ）としたとき、
Ｌ２≦０．８×Ｌ１
なる条件を満足することを特徴とする請求項５乃至９の何れか１項に記載のマルチビーム走査装置。
【請求項１１】
前記第１の遮光部材、前記第２の遮光部材は前記光源手段側から第１、第２の遮光部材の順で配置されており、
前記偏向手段の偏向面の基準位置から該第１の遮光部材までの距離をＬ１（ｍｍ）、該偏向手段の偏向面の基準位置から該第２の遮光部材までの距離をＬ２（ｍｍ）としたとき、
Ｌ２＜Ｌ１
Ｌ２≦２０（ｍｍ）
なる条件を満足することを特徴とする請求項５乃至９の何れか１項に記載のマルチビーム走査装置。
【請求項１２】
前記光源手段と前記偏向手段との間にレンズ系が設けられており、前記第１、第２の遮光部材は該偏向手段と該レンズ系との間であって、該光源手段側から該第１の遮光部材、該第２の遮光部材の順で配置されており、
該少なくとも２つの発光部の数をｎ、主走査方向のピッチをｄ（ｍｍ）、該レンズ系の焦点距離をｆｃ（ｍｍ）、該偏向手段の偏向面の基準位置から該第１の遮光部材までの距離をＬ１（ｍｍ）、該偏向手段の偏向面の基準位置から該第２の遮光部材までの距離をＬ２（ｍｍ）としたとき、
【数１】
2003005117.tif 000001
なる条件を満足することを特徴とする請求項５記載のマルチビーム走査装置。
【請求項１３】
前記光源手段と前記偏向手段との間にレンズ系が設けられており、前記第１、第２の遮光部材は該偏向手段と該レンズ系との間であって、該光源手段側から該第１の遮光部材、第２の遮光部材の順で配置されており、
該少なくとも２つの発光部の数をｎ、主走査方向のピッチをｄ（ｍｍ）、該レンズ系の焦点距離をｆｃ（ｍｍ）、該偏向手段の偏向面の基準位置から該第１の遮光部材までの距離をＬ１（ｍｍ）、該偏向手段の偏向面の基準位置から該第２の遮光部材までの距離をＬ２（ｍｍ）、該走査光学手段の主走査方向の焦点距離をｆｋ（ｍｍ）としたとき、
【数２】
2003005117.tif 000002
なる条件を満足することを特徴とする請求項５記載のマルチビーム走査装置。
【請求項１４】
前記マルチビーム走査装置は
【数３】
2003005117.tif 000003
なる条件を満足することを特徴とする請求項１３記載のマルチビーム走査装置。
【請求項１５】
前記偏向手段にて偏向された複数の光束を受光して同期検知する同期検知手段を有し、該偏向手段と該同期検知手段との間に、該同期検知手段に入射する複数の光束の主走査方向の光束径を制限する同期検知用絞りを配置したことを特徴とする請求項５乃至１４の何れか１項に記載のマルチビーム走査装置。
【請求項１６】
前記偏向手段で偏向される少なくとも２本の光束を用いて前記被走査面上を走査する光束の同期信号を検知する同期検知手段を有し、該偏向手段と該同期検知手段との間に、該偏向手段によって偏向された少なくとも２本の光束のうち少なくとも１つの光束の主走査方向の光束径の一端を遮光する第３の遮光部材と、該少なくとも２本の光束のうち少なくとも１つの光束の主走査方向の光束径の他端を遮光する第４の遮光部材とを、前記光束の進行方向に離間して配置していることを特徴とする請求項５記載のマルチビーム走査装置。
【請求項１７】
少なくとも２本の光束を発する少なくとも２つの発光部を備えた光源手段と、該少なくとも２本の光束を偏向する偏向手段と、該偏向手段により偏向された少なくとも２本の光束を被走査面上に導光する走査光学手段と、同期検知手段と、を有するマルチビーム走査装置において、
該少なくとも２つの発光部は主走査方向及び副走査方向に離間して配置されており、
該偏向手段と該同期検知手段との間に、該偏向手段によって偏向された少なくとも２本の光束のうち少なくとも１つの光束の主走査方向の光束径の一端を遮光する第１の遮光部材と、該少なくとも２本の光束のうち少なくとも１つの光束の主走査方向の光束径の他端を遮光する第２の遮光部材とを、該光束の進行方向に離間して配置していることを特徴とするマルチビーム走査装置。
【請求項１８】
請求項５乃至１７の何れか１項に記載のマルチビーム走査装置と、前記被走査面に配置された感光体と、前記マルチビーム走査装置で走査された光束によって前記感光体上に形成された静電潜像をトナー像として現像する現像器と、現像されたトナー像を被転写材に転写する転写器と、転写されたトナー像を被転写材に定着させる定着器とを有することを特徴とする画像形成装置。
【請求項１９】
請求項５乃至１７の何れか１項に記載のマルチビーム走査装置と、外部機器から入力したコードデータを画像信号に変換して前記マルチビーム走査装置に入力せしめるプリンタコントローラとを有していることを特徴とする画像形成装置。
【手続補正２】
【補正対象書類名】明細書
【補正対象項目名】００２０
【補正方法】変更
【補正の内容】
【００２０】
【課題を解決するための手段】
請求項１の発明の光走査装置は、光源手段から出射した光束を偏向する偏向手段と、該偏向手段により偏向された光束を被走査面上に導光する走査光学手段と、を有する光走査装置において、
該光源手段から発せられた光束の主走査方向の光束径の一端を決定する第１の遮光部材と、該光源手段から発せられた光束の主走査方向の光束径の他端を決定する第２の遮光部材とを、該光束の進行方向に離間して配置していることを特徴としている。
【手続補正３】
【補正対象書類名】明細書
【補正対象項目名】００２１
【補正方法】変更
【補正の内容】
【００２１】
請求項２の発明は請求項１の発明において、前記第１の遮光部材と前記第２の遮光部材は副走査断面内の光束径を制限していることを特徴としている。
【手続補正４】
【補正対象書類名】明細書
【補正対象項目名】００２２
【補正方法】変更
【補正の内容】
【００２２】
請求項３の発明の画像形成装置は、請求項１又は２記載の光走査装置と、前記被走査面に配置された感光体と、前記光走査装置で走査された光束によって前記感光体上に形成された静電潜像をトナー像として現像する現像器と、現像されたトナー像を被転写材に転写する転写器と、転写されたトナー像を被転写材に定着させる定着器とを有することを特徴としている。
【手続補正５】
【補正対象書類名】明細書
【補正対象項目名】００２３
【補正方法】変更
【補正の内容】
【００２３】
請求項４の発明の画像形成装置は、請求項１又は２記載の光走査装置と、外部機器から入力したコードデータを画像信号に変換して前記光走査装置に入力せしめるプリンタコントローラとを有していることを特徴としている。
【手続補正６】
【補正対象書類名】明細書
【補正対象項目名】００２４
【補正方法】変更
【補正の内容】
【００２４】
請求項５の発明のマルチビーム走査装置は、少なくとも２本の光束を発する少なくとも２つの発光部を有する光源手段と、該少なくとも２つの発光部から発せられた少なくとも２本の光束を偏向する偏向手段と、該偏向手段により偏向された少なくとも２本の光束を被走査面上に導光する走査光学手段と、を有するマルチビーム走査装置において、
該少なくとも２つの発光部は主走査方向及び副走査方向に離間して配置されており、
該少なくとも２本の光束のうち少なくとも１つの光束の主走査方向の光束径の一端を決定する第１の遮光部材と該少なくとも２本の光束のうち少なくとも１つの光束の主走査方向の光束径の他端を決定する第２の遮光部材とを該光源手段と該偏向手段との間に該光束の進行方向に離間して配置していることを特徴としている。
【手続補正７】
【補正対象書類名】明細書
【補正対象項目名】００２５
【補正方法】変更
【補正の内容】
【００２５】
請求項６の発明は請求項５の発明において、前記第１の遮光部材と前記第２の遮光部材は副走査方向の光束径を制限していることを特徴としている。
【手続補正８】
【補正対象書類名】明細書
【補正対象項目名】００２６
【補正方法】変更
【補正の内容】
【００２６】
請求項７の発明は請求項５の発明において、前記第１の遮光部材は光束径のうち被走査面側を決定し、前記第２の遮光部材は主走査方向の光束径のうち被走査面側の反対側を決定しており、該第２の遮光部材は該第１の遮光部材よりも前記偏向手段側に配置されていることを特徴としている。
【手続補正９】
【補正対象書類名】明細書
【補正対象項目名】００２７
【補正方法】変更
【補正の内容】
【００２７】
請求項８の発明は請求項５の発明において、前記光源手段と前記偏向手段との間に、副走査方向のみに屈折力を有するシリンドリカルレンズが設けられており、前記第１の遮光部材と前記第２の遮光部材は、該シリンドリカルレンズと該偏向手段との間に配置されていることを特徴としている。
【手続補正１０】
【補正対象書類名】明細書
【補正対象項目名】００２８
【補正方法】変更
【補正の内容】
【００２８】
請求項９の発明は請求項５の発明において、前記２つの遮光部材のうち、前記光源手段側に位置した遮光部材は該少なくとも２本の光束の副走査方向の光束径を決定していることを特徴としている。
【手続補正１１】
【補正対象書類名】明細書
【補正対象項目名】００２９
【補正方法】変更
【補正の内容】
【００２９】
請求項１０の発明は請求項５乃至９のいずれか１項の発明において、前記第１の遮光部材、前記第２の遮光部材は前記光源手段側から第１の遮光部材、第２の遮光部材の順で配置されており、
前記偏向手段の偏向面の基準位置から該第１の遮光部材までの距離をＬ１（ｍｍ）、該偏向手段の偏向面の基準位置から該第２の遮光部材までの距離をＬ２（ｍｍ）としたとき、
Ｌ２≦０．８×Ｌ１
なる条件を満足することを特徴としている。
【手続補正１２】
【補正対象書類名】明細書
【補正対象項目名】００３０
【補正方法】変更
【補正の内容】
【００３０】
請求項１１の発明は請求項５乃至９のいずれか１項の発明において、前記第１の遮光部材、前記第２の遮光部材は前記光源手段側から第１、第２の遮光部材の順で配置されており、
前記偏向手段の偏向面の基準位置から該第１の遮光部材までの距離をＬ１（ｍｍ）、該偏向手段の偏向面の基準位置から該第２の遮光部材までの距離をＬ２（ｍｍ）としたとき、
Ｌ２＜Ｌ１
Ｌ２≦２０（ｍｍ）
なる条件を満足することを特徴としている。
【手続補正１３】
【補正対象書類名】明細書
【補正対象項目名】００３１
【補正方法】変更
【補正の内容】
【００３１】
請求項１２の発明は請求項５の発明において、前記光源手段と前記偏向手段との間にレンズ系が設けられており、前記第１、第２の遮光部材は該偏向手段と該レンズ系との間であって、該光源手段側から該第１の遮光部材、該第２の遮光部材の順で配置されており、
該少なくとも２つの発光部の数をｎ、主走査方向のピッチをｄ（ｍｍ）、該レンズ系の焦点距離をｆｃ（ｍｍ）、該偏向手段の偏向面の基準位置から該第１の遮光部材までの距離をＬ１（ｍｍ）、該偏向手段の偏向面の基準位置から該第２の遮光部材までの距離をＬ２（ｍｍ）としたとき、
【数４】
2003005117.tif 000004
なる条件を満足することを特徴としている。
【手続補正１４】
【補正対象書類名】明細書
【補正対象項目名】００３２
【補正方法】変更
【補正の内容】
【００３２】
請求項１３の発明は請求項５の発明において、前記光源手段と前記偏向手段との間にレンズ系が設けられており、前記第１、第２の遮光部材は該偏向手段と該レンズ系との間であって、該光源手段側から該第１の遮光部材、第２の遮光部材の順で配置されており、
該少なくとも２つの発光部の数をｎ、主走査方向のピッチをｄ（ｍｍ）、該レンズ系の焦点距離をｆｃ（ｍｍ）、該偏向手段の偏向面の基準位置から該第１の遮光部材までの距離をＬ１（ｍｍ）、該偏向手段の偏向面の基準位置から該第２の遮光部材までの距離をＬ２（ｍｍ）、該走査光学手段の主走査方向の焦点距離をｆｋ（ｍｍ）としたとき、
【数５】
2003005117.tif 000005
なる条件を満足することを特徴としている。
【手続補正１５】
【補正対象書類名】明細書
【補正対象項目名】００３３
【補正方法】変更
【補正の内容】
【００３３】
請求項１４の発明は請求項１３の発明において、前記マルチビーム走査装置は
【数６】
2003005117.tif 000006
なる条件を満足することを特徴としている。
【手続補正１６】
【補正対象書類名】明細書
【補正対象項目名】００３４
【補正方法】変更
【補正の内容】
【００３４】
請求項１５の発明は請求項５乃至１４のいずれか１項の発明において、前記偏向手段にて偏向された複数の光束を受光して同期検知する同期検知手段を有し、該偏向手段と該同期検知手段との間に、該同期検知手段に入射する複数の光束の主走査方向の光束径を制限する同期検知用絞りを配置したことを特徴としている。
【手続補正１７】
【補正対象書類名】明細書
【補正対象項目名】００３５
【補正方法】変更
【補正の内容】
【００３５】
請求項１６の発明は請求項５の発明において、前記偏向手段で偏向される少なくとも２本の光束を用いて前記被走査面上を走査する光束の同期信号を検知する同期検知手段を有し、該偏向手段と該同期検知手段との間に、該偏向手段によって偏向された少なくとも２本の光束のうち少なくとも１つの光束の主走査方向の光束径の一端を遮光する第３の遮光部材と、該少なくとも２本の光束のうち少なくとも１つの光束の主走査方向の光束径の他端を遮光する第４の遮光部材とを、前記光束の進行方向に離間して配置していることを特徴としている。
【手続補正１８】
【補正対象書類名】明細書
【補正対象項目名】００３６
【補正方法】変更
【補正の内容】
【００３６】
請求項１７の発明のマルチビーム走査装置は、少なくとも２本の光束を発する少なくとも２つの発光部を備えた光源手段と、該少なくとも２本の光束を偏向する偏向手段と、該偏向手段により偏向された少なくとも２本の光束を被走査面上に導光する走査光学手段と、同期検知手段と、を有するマルチビーム走査装置において、
該少なくとも２つの発光部は主走査方向及び副走査方向に離間して配置されており、
該偏向手段と該同期検知手段との間に、該偏向手段によって偏向された少なくとも２本の光束のうち少なくとも１つの光束の主走査方向の光束径の一端を遮光する第１の遮光部材と、該少なくとも２本の光束のうち少なくとも１つの光束の主走査方向の光束径の他端を遮光する第２の遮光部材とを、該光束の進行方向に離間して配置していることを特徴としている。
【手続補正１９】
【補正対象書類名】明細書
【補正対象項目名】００３７
【補正方法】変更
【補正の内容】
【００３７】
請求項１８の発明の画像形成装置は、請求項５乃至１７の何れか１項に記載のマルチビーム走査装置と、前記被走査面に配置された感光体と、前記マルチビーム走査装置で走査された光束によって前記感光体上に形成された静電潜像をトナー像として現像する現像器と、現像されたトナー像を被転写材に転写する転写器と、転写されたトナー像を被転写材に定着させる定着器とを有することを特徴としている。
【手続補正２０】
【補正対象書類名】明細書
【補正対象項目名】００３８
【補正方法】変更
【補正の内容】
【００３８】
請求項１９の発明の画像形成装置は、請求項５乃至１７の何れか１項に記載のマルチビーム走査装置と、外部機器から入力したコードデータを画像信号に変換して前記マルチビーム走査装置に入力せしめるプリンタコントローラとを有していることを特徴としている。
【手続補正２１】
【補正対象書類名】明細書
【補正対象項目名】００３９
【補正方法】削除
【補正の内容】
【手続補正２２】
【補正対象書類名】明細書
【補正対象項目名】００４０
【補正方法】削除
【補正の内容】
【手続補正２３】
【補正対象書類名】明細書
【補正対象項目名】００４１
【補正方法】削除
【補正の内容】
【手続補正２４】
【補正対象書類名】明細書
【補正対象項目名】００４２
【補正方法】削除
【補正の内容】
【手続補正２５】
【補正対象書類名】明細書
【補正対象項目名】００４３
【補正方法】削除
【補正の内容】
【手続補正２６】
【補正対象書類名】明細書
【補正対象項目名】００４４
【補正方法】削除
【補正の内容】
【手続補正２７】
【補正対象書類名】明細書
【補正対象項目名】００４５
【補正方法】削除
【補正の内容】
【手続補正２８】
【補正対象書類名】明細書
【補正対象項目名】００４６
【補正方法】削除
【補正の内容】
【手続補正２９】
【補正対象書類名】明細書
【補正対象項目名】００４７
【補正方法】削除
【補正の内容】
【手続補正３０】
【補正対象書類名】明細書
【補正対象項目名】００４８
【補正方法】削除
【補正の内容】
【手続補正３１】
【補正対象書類名】明細書
【補正対象項目名】００４９
【補正方法】削除
【補正の内容】
【手続補正３２】
【補正対象書類名】明細書
【補正対象項目名】００５０
【補正方法】削除
【補正の内容】
【手続補正３３】
【補正対象書類名】明細書
【補正対象項目名】００５１
【補正方法】削除
【補正の内容】
【手続補正３４】
【補正対象書類名】明細書
【補正対象項目名】００５２
【補正方法】削除
【補正の内容】
【手続補正３５】
【補正対象書類名】明細書
【補正対象項目名】００５３
【補正方法】削除
【補正の内容】